(57)【特許請求の範囲】
【請求項１】
筐体と、マーカーによる情報の書き込み及びイレーサによる当該書き込んだ情報の消去が可能なシートと、前記筐体内にあって前記シートを巻き取るための巻き取り手段と、前記筐体内にあって前記巻き取り手段によって巻き取られる前記シート上の情報を読み取る読取手段と、前記読取手段によって読み取られた情報を出力する出力手段とを有し、前記シートは、表面上にコーティングを施したポリエステルフィルムと、当該フィルムの裏面側のほぼ全面にわたって貼り付けた前記マーカーのインキに含まれる剥離剤の吸収防止策を施したコルクラバーから構成されることを特徴とする電子黒板装置。
【請求項２】
前記吸収防止策とは、前記コルクラバーに脂肪酸エステル類を添加することであることを特徴とする請求項１に記載された電子黒板装置。
【請求項３】
表面上にコーティングを施し、マーカーによる情報の書き込み及びイレーサによる当該書き込んだ情報の消去が可能なポリエステルフィルムと、当該フィルムの裏面側のほぼ全面にわたって貼り付けた前記マーカーのインクに含まれる剥離剤の吸収防止策を施したコルクラバーから構成されることを特徴とする電子黒板装置用筆記シート。
【請求項４】
前記吸収防止策とは、前記コルクラバーに脂肪酸エステル類を添加することであることを特徴とする請求項３に記載された電子黒板装置用筆記シート。
【発明の詳細な説明】
【０００１】
【発明の属する技術分野】
本発明は、電子黒板装置において、筆記シートにマーキングインクで書き込みを行った後の、インクの消去性を改善するものである。
【０００２】
【従来の技術】
近年、従来から用いられている大型の電子黒板装置に加えて、携帯性を高めた巻き取り式の電子黒板装置が提案されている。
【０００３】
以下、携帯型電子黒板装置について説明する。
図１は、本発明の一実施の形態における携帯型電子黒板装置の斜視図である。１は電子黒板装置の本体部の筐体、２は筆記面側がＵＶコーティングされたポリエステルフィルムからなり、裏面にほぼ全面にわたって補強材９（図２参照）を貼り付けた、マーカーで書き込み・消去可能な筆記シートである。
【０００４】
図２は、本発明の一実施の形態における電子黒板装置における筆記シートの断面図である。７はＵＶコーティングされたポリエステルフィルム、９はポリエステルフィルム７よりも厚い補強材であり、８はポリエステルフィルム７の裏面に補強材９を貼り付けるための接着材である。補強材９は、筆記時に筆記シート２の裏側にくる素材に関係なく筆記具合を良好にする下敷きの効果をもたらすものである。この補強材９には、クロロプレンゴムとコルク粒を混合した、一般にコルクラバーと呼ばれるものを用いている。３は筆記シートの一端に取り付けられた把手、４は筐体１内部にあるプリンター部の蓋であって、筐体１に対して開閉可能に取り付けられ、この蓋４を開いて感熱紙５をセットする。６はシート巻き取りキーやコピーキーを有する操作部である。
【０００５】
図３は、本発明の一実施の形態における電子黒板装置の断面図である。図中、１０は筆記シートを巻き取るための巻き取りローラー、１１は筆記シート２上に書かれた文字や図形などを光学的に読み取って、電気信号に変換する読取部である。１２は筐体１の開口部１３の部分に設けられたセンサーであって、把手３を検知することによって筆記シート２の巻き取り完了を検知する。また、１４は読取部１１で読み取られた文字や図形を感熱紙５に記録するためのサーマルヘッド、１５はプラテンである。
【０００６】
更に図４は、本発明の一実施の形態における電子黒板装置のブロック図で、１６は筆記シート２の巻き取りや筆記シート２に書かれた内容の読み取り、印刷など、装置全体の制御を行う制御部である。１７は巻き取りローラー１０を駆動するためのスクリーンモーター、１８はプラテン１５を駆動するためのプラテンモーターである。
【０００７】
以上のように構成された電子黒板装置について、以下その動作を説明する。但し、筆記シート２は筆記のために開口部１３から最大限に引き出されているものとする。
【０００８】
まず、図１の操作部６上のコピーキーが操作されたことを検知すると、図４の制御部１６はスクリーンモータ１７を駆動させ、巻き取りローラー１０を図３の矢印Ｍの方向に回転させる。スクリーンモーター１７の回転によって巻き取りローラー１０が回転すると、筆記シート２が巻き取りローラー１０に巻き取られる。センサー１２によって筆記シート２の巻き取り完了を検知すると、制御部１６はスクリーンモーター１７の回転を停止させる。巻き取り始めるのと同時に、制御部１６は読取部１１に筆記シート２上に書かれた文字や図形などの読取り命令を発する。
【０００９】
その後、図４において制御部１６はプラテンモーター１８を駆動してプラテン１５を回し、感熱紙５を送りながら、読取部１１が読み取ったデータをサーマルヘッド１４に送り、感熱紙５への印刷を行わせる。
【００１０】
ところで、筆記シート２のポリエステルフィルムでコーティングされた面にマーカーで筆記してそのまま長時間放置すると、マーカーのインクが乾燥して筆記面の文字等が消しにくくなる。
【００１１】
そこで、イレーサー等で消去する場合の消去性を高めるため、特開平６−９９１７号に開示されているように、有機、無機系の顔料、アルコール、ケトン等の有機溶剤、有機溶剤として使用可能な合成樹脂、ミリスチン酸イソプロピル、アジピン酸ジオクチル等の脂肪酸エステルを含むインクが用いられている。この脂肪酸エステル類は筆記シートに筆記後のインクの消去性を高める剥離剤として作用し、常温での揮発性が非常に低いため、筆記シートに書き込みを行った後も長時間消去性を保つことができる。
【００１２】
【発明が解決しようとする課題】
一方、ゴム等の高分子体は、分子が立体網目構造をしており、分子構造的に見ると隙間だらけといっても過言ではなく、ワックスや油脂等の比較的低分子量の薬品等を吸収しやすいという性質を有している。
【００１３】
図５は、ゴムを油脂中に浸漬させた場合のゴムの体積変化を表すグラフであるが、ゴムは徐々に油脂を吸収し、時間と共に体積が大きくなる。しかし、特定の時間が経過した後は、ゴム中で油脂が飽和状態となり、体積変化が無くなる。このことは、ゴムを主成分とするコルクラバーにも当てはまる。
【００１４】
上記した携帯型電子黒板装置においては、筆記内容のコピーを行う場合には、筆記シートを筐体内部に巻き取りながら読み取り・印字を行うが、コピー後筆記内容を消さずに長時間放置すると、以下のような問題が発生する。
【００１５】
即ち、筆記シートが筐体内に巻き取られた状態では、図６に示すように、筆記シートの表面と、補強材であるコルクラバーが直接接することになる。このとき、筆記シートの表面にマーカーによるインクが付着したままであると、インク中に含まれる脂肪酸エステルがコルクラバーに吸収されるため、インクの剥離性が低下し、インクの消去性が著しく低下することになる。
【００１６】
上記携帯型電子黒板装置を用いた実験によると、常温では約半日の放置により、通常のイレーサーでの消去が著しく困難になった。
【００１７】
本発明は、以上の問題点に鑑み、筆記シート２にマーカーで記載したまま巻き取った状態で長時間放置しても、筆記シート２上に付着したマーキングインクの消去性を低下させることのない携帯型電子黒板用筆記シートを提供することを目的とする。
【００１８】
【課題を解決するための手段】
本発明は、上記問題点を解決するために、電子黒板装置用の筆記シートを、表面上にコーティングを施したポリエステルフィルムと、当該フィルムの裏面側のほぼ全面にわたって貼り付けた脂肪酸エステル類を添加したコルクラバーから構成するものである。
【００１９】
このように構成することにより、マーカーのインクと筆記シート２の裏面のコルクラバーの双方が脂肪酸エステル類を含んでおり、それぞれの脂肪酸エステル類の濃度差が小さいので、筆記シート２を巻き取ることにより筆記面上のインクが筆記シート２の裏面のコルクラバーに長時間接触しても、インクの脂肪酸エステル類成分がコルクラバーに吸収されにくく、インクの高剥離性を維持することができる。
【００２０】
【発明の実施の形態】
請求項１及び請求項２に記載の発明は、筐体と、マーカーによる情報の書き込み及びイレーサによる当該書き込んだ情報の消去が可能なシートと、前記筐体内にあって、前記シートを巻き取るための巻き取り手段と、前記筐体内にあって、前記巻き取り手段によって巻き取られる前記シート上の情報を読み取る読取手段と、前記読取手段によって読み取られた情報を出力する出力手段とを有し、前記シートは、表面上にコーティングを施したポリエステルフィルムと、当該フィルムの裏面側のほぼ全面にわたって貼り付けた前記マーカーのインクに含まれる剥離剤の吸収防止策を施したコルクラバーから構成されるものである。
【００２１】
また、前記吸収防止策とは、前記コルクラバーに脂肪酸エステル類を添加するものである。
【００２２】
これにより、電子黒板装置において、筆記シートにマーキングインクが付着したまま筆記シートを巻き取り、そのまま長時間放置しても、インクの消去性を損なうことがない。
【００２３】
また、請求項３及び請求項４に記載の発明は、表面上にコーティングを施し、マーカーによる情報の書き込み及びイレーサによる当該書き込んだ情報の消去が可能なポリエステルフィルムと、当該フィルムの裏面側のほぼ全面にわたって貼り付けた前記マーカーのインクに含まれる剥離剤の吸収防止策を施したコルクラバーから構成されることを特徴とする電子黒板装置用筆記シートであり、前記吸収防止策とは、前記コルクラバーに脂肪酸エステル類を添加することであることを特徴とするものである。
【００２４】
これにより、筆記シートにマーキングインクが付着したまま筆記シートを巻き取り、そのまま長時間放置しても、インクの消去性を損なうことがない。
【００２５】
以下、本発明の実施の形態について説明を行う。尚、本発明の携帯型電子黒板装置用筆記シートを用いる携帯型電視黒板装置については、従来の技術において説明したものと同様であるので、ここでは説明を省略する。
【００２６】
【表１】
0003753165.tif 000002
【００２７】
本実施の形態において、図２に示す補強材９に用いるコルクラバーは、（表１）に示す成分により構成される。このように、マーキングインクに添加されている脂肪酸エステル類をコルクラバーに適量添加することにより、マーキングインクとコルクラバー間の濃度差をなくし若しくは小さくすることにより、脂肪酸エステル類がマーキングインクからコルクラバー中へ移動することを防止する。
【００２８】
尚、この脂肪酸エステル類は、一般的にゴムの可塑剤として用いられている他の薬品類と同様に、通常のゴム練り機（ミキシングロール、加圧ニーダ、バンバリーミキサー）によってコルクラバー中に添加することができる。
【００２９】
【表２】
0003753165.tif 000003
【００３０】
【表３】
0003753165.tif 000004
【００３１】
次に、本実施の形態における効果を確認するために行った実験結果について説明する。
【００３２】
この実験において用いるマーキングインクは、（表２）に示す組成のものを使用した。また、コルクラバーに添加する剥離剤（脂肪酸エステル類）は、実験に使用するマーキングインクに用いられている剥離剤と同じものであって、（表３）に示すように、剥離剤の添加量が異なる複数のコルクラバーを準備した。そして、準備したコルクラバーを使用した携帯型電子黒板装置について、筆記シートにマーキングインクにて書き込みを行って、そのまま筆記シートを巻き取った状態で所定時間常温で放置した後の消去性について、良／悪の判定を行った。
【００３３】
（表３）に示した結果から明らかなように、コルクラバーにマーキングインクに含まれる剥離剤を添加した場合には、剥離剤を添加しない場合に比べて経時的な消去性が向上する。
【００３４】
【発明の効果】
以上の説明から明らかなように、本発明に係る携帯型電子黒板装置を実施すると、マーカーのインクと筆記シートの裏面のコルクラバーの双方が脂肪酸エステル類を含んでおり、それぞれの脂肪酸エステル類の濃度差が小さいので、筆記シートを巻き取ることにより筆記面上のインクが筆記シートの裏面のコルクラバーに長時間接触しても、インクの脂肪酸エステル類成分がコルクラバーに吸収されにくく、インクの高剥離性、高消去性を長時間維持することができるという効果を奏する。
【図面の簡単な説明】
【図１】本発明の一実施の形態における携帯型電子黒板装置の斜視図
【図２】本発明の一実施の形態における電子黒板装置における筆記シートの断面図
【図３】本発明の一実施の形態における電子黒板装置の断面図
【図４】本発明の一実施の形態における電子黒板装置のブロック図
【図５】ゴムを油脂中に浸漬させた場合のゴムの体積変化を表すグラフ
【図６】本実施の形態の携帯型電子黒板装置における筆記シートの断面図
【符号の説明】
１  筐体
２  筆記シート
３  把手
４  蓋
５  感熱紙
６  操作部
【図１】
0003753165.tif 000005
【図２】
0003753165.tif 000006
【図３】
0003753165.tif 000007
【図４】
0003753165.tif 000008
【図５】
0003753165.tif 000009
【図６】
0003753165.tif 000010